(57)【要約】【課題】撹拌部材の動作前においては現像剤の供給を確実に規制し、撹拌部材の動作中においては現像剤を確実に供給できる現像カートリッジ提供すること。【解決手段】  搬送部材１７１は、アジテータ３が回転を開始する前は、開口部１００を閉鎖する第１姿勢を維持している。また、アジテータ３が回転しているときは、搬送部材１７１は、カム１３８の円形部分１４０の外周面に接触している。そのため、搬送部材１７１は、現像ローラ５へのトナーの供給を許容する第２姿勢を維持している。そのため、アジテータ３が回転を開始する前は、搬送部材１７１およびフィルム部材１７２により、現像ローラ５にトナーが流入することが規制される。また、アジテータ３が回転しているときは、搬送部材１７１によって、トナーが現像ローラ５に向けて流入することが許容される。【選択図】図２
2015087669.tif 000002
【特許請求の範囲】
【請求項１】
開口を有し、内部に現像剤を収容する筐体と、
前記筐体内において回転可能に支持され、現像剤を撹拌するように構成される撹拌部材と、
前記開口に設けられ、前記撹拌部材によって撹拌された現像剤を担持するように構成されるローラ部材と、
前記撹拌部材から前記ローラ部材に現像剤が流入することを規制する第１姿勢と、現像剤が前記撹拌部材から前記ローラ部材に向けて流入することを許容する第２姿勢とを有する移動体と、
前記移動体に対して駆動力を伝達するように構成される駆動伝達部材と、を備え、
前記移動体は、前記駆動伝達部材に接触し、前記駆動伝達部材から駆動力を受ける駆動受け部を備え、
前記駆動伝達部材は、
前記駆動受け部に対して駆動力を伝達する第１部分と、
前記駆動受け部に対して駆動力を伝達しない第２部分とを備え、
前記撹拌部材が回転しているときは、前記移動体は、前記駆動受け部が前記第１部分に向かい合うことにより前記第２姿勢を維持し、
前記撹拌部材が回転を開始する前は、前記移動体は、前記駆動受け部が前記第２部分に向かい合うことにより前記第１姿勢を維持することを特徴とする現像カートリッジ。
【請求項２】
前記撹拌部材は、前記筐体内において第１方向に沿って延びる第１軸線に関して回転可能に支持されており、
前記移動体は、前記筐体内において前記第１方向に沿って延びる第２軸線に関して回転可能である回転軸をさらに備え、
前記駆動受け部は、前記回転軸とともに前記第２軸線に関して回転するように構成され、
前記駆動伝達部材は、
前記撹拌部材に対して第１軸線周りに取り付けられるカム部材であり、
前記第１部分は、前記カム部材の外周面であり、
前記第２部分は、前記カム部材の外周面から前記第１軸線に向かって窪む凹部であることを特徴とする、請求項１に記載の現像カートリッジ。
【請求項３】
前記撹拌部材は、可撓性を有する撹拌羽根を備え、
前記撹拌羽根は、前記撹拌部材が回転しているときに、周期的に前記駆動受け部に接触し、前記駆動受け部が前記凹部に入り込むことを抑制することを特徴とする、請求項２に記載の現像カートリッジ。
【請求項４】
前記撹拌部材は、可撓性を有する撹拌羽根を備え、
前記撹拌羽根は、前記撹拌部材が回転しているときに、周期的に前記駆動受け部に接触し、前記駆動受け部を前記カム部材から離間させるように構成されることを特徴とする、請求項２または３に記載の現像カートリッジ。
【請求項５】
前記カム部材の外周面は、前記第１軸線からの寸法が異なる形状を有することを特徴とする、請求項２ないし４のいずれか一項に記載の現像カートリッジ。
【請求項６】
前記筐体は、
現像剤を収容するように構成される第１収容部と、
前記第１収容部に隣接し、前記ローラ部材を収容する第２収容部と、
前記第１収容部と前記第２収容部とを連通する開口部とを有し、
前記移動体は、可撓性を有し、前記第１姿勢のときに前記開口部を閉鎖する閉鎖部材を備えていることを特徴とする、請求項２ないし５のいずれか一項に記載の現像カートリッジ。
【請求項７】
前記移動体は、前記回転軸から径方向に向かって突出する掻出部をさらに備え、
前記掻出部は、前記移動体が回転するときに、前記第２収容部に位置する現像剤を、前記第１収容部に向かって掻き出すように構成されていることを特徴とする、請求項６に記載の現像カートリッジ。
【請求項８】
前記筐体は、前記回転軸に向かって突出し、前記移動体を位置決めするための位置決め部を備え、
前記移動体は、前記回転軸から径方向に向かって突出し、前記第１姿勢のときに前記位置決め部に当接する当接部をさらに備え、
前記位置決め部は、前記当接部との接触面に弾性部材を備えていることを特徴とする、請求項２ないし７のいずれか一項に記載の現像カートリッジ。
【発明の詳細な説明】
【技術分野】
【０００１】
本発明は、電子写真方式が採用される画像形成装置に装着される現像カートリッジに関する。
【背景技術】
【０００２】
電子写真方式が採用される画像形成装置に装着される現像カートリッジとして、現像ローラと、トナーを収容する収容室とを備える現像カートリッジが知られている。画像形成動作中は、現像カートリッジにおいて、収容室内のトナーが現像ローラに搬送される。これにより、現像ローラの外周面には、トナーが適切に担持される。
【０００３】
このような現像カートリッジとして、内部に収容室を有する現像ホッパと、現像ホッパ内に取り付けられる仕切金板とを備える現像ユニットが知られている。仕切金板は、現像ホッパ内において水平に取り付けられており、現像ホッパ内の空間を上下に分かれる２つの空間に仕切っている。現像ホッパ内において仕切金板の上方に位置する空間が、トナーを収容する収容室としてのトナー供給部であり、仕切金板の下方に位置する空間が現像部である。現像部において、現像ローラが支持されている。仕切金板は、複数の開口を有している。これにより、トナー供給部内のトナーが、仕切金板の開口を介して適量に現像部に供給されるように制御される（例えば、特許文献１参照）。
【先行技術文献】
【特許文献】
【０００４】
【特許文献１】特開２００１−１９４８８３号公報
【発明の概要】
【発明が解決しようとする課題】
【０００５】
しかるに、この種の現像カートリッジにおいて、梱包時や出荷時等、現像カートリッジを動作させる前の状態において、トナーの外部への漏れを防止することが望まれる。
【０００６】
また、この種の現像カートリッジにおいて、現像ユニットの動作中は、トナーが連続的に現像部に供給されることが望まれる。
【０００７】
そこで、本発明の目的は、撹拌部材の動作前においては現像剤の供給を確実に規制し、撹拌部材の動作中においては現像剤を確実に供給できる現像カートリッジ提供することにある。
【課題を解決するための手段】
【０００８】
（１）上記目的を達成するために、本発明の現像カートリッジは、開口を有し、内部に現像剤を収容する筐体と、筐体内において回転可能に支持され、現像剤を撹拌するように構成される撹拌部材と、開口に設けられ、撹拌部材によって撹拌された現像剤を担持するように構成されるローラ部材と、撹拌部材からローラ部材に現像剤が流入することを規制する第１姿勢と、現像剤が撹拌部材からローラ部材に向けて流入することを許容する第２姿勢とを有する移動体と、移動体に対して駆動力を伝達するように構成される駆動伝達部材と、を備える。移動体は、駆動伝達部材に接触し、駆動伝達部材から駆動力を受ける駆動受け部を備える。駆動伝達部材は、駆動受け部に対して駆動力を伝達する第１部分と、駆動受け部に対して駆動力を伝達しない第２部分とを備える。撹拌部材が回転しているときは、移動体は、駆動受け部が第１部分に向かい合うことにより第２姿勢を維持する。撹拌部材が回転を開始する前は、移動体は、駆動受け部が第２部分に向かい合うことにより第１姿勢を維持する。
【０００９】
このような構成によれば、撹拌部材が回転を開始する前は、移動体は、第１姿勢を維持する。
【００１０】
そのため、撹拌部材が回転を開始する前は、移動体により、ローラ部材に現像剤が流入することが規制される。
【００１１】
その結果、梱包時や出荷時等のカートリッジ搬送中に、ローラ部材が配置される開口からトナー漏れが生じることを防止できる。
【００１２】
また、撹拌部材が回転しているときは、移動体は、第２姿勢を維持する。
【００１３】
そのため、撹拌部材が回転しているときは、移動体によって、現像剤がローラ部材に向けて流入することが許容される。
【００１４】
その結果、撹拌部材が回転しているときは、ローラ部材へ現像剤を確実に供給できる。
【００１５】
さらに、撹拌部材が回転しているときは、移動体は現像剤の流入を規制しないため、規制動作に伴う動作音が生じることを抑制できる。
（２）また、撹拌部材は、筐体内において第１方向に沿って延びる第１軸線に関して回転可能に支持されていてもよい。移動体は、筐体内において第１方向に沿って延びる第２軸線に関して回転可能である回転軸をさらに備えてもよい。駆動受け部は、回転軸とともに第２軸線に関して回転するように構成されもよい。駆動伝達部材は、撹拌部材に対して第１軸線周りに取り付けられるカム部材であってもよい。第１部分は、カム部材の外周面であってもよい。第２部分は、カム部材の外周面から第１軸線に向かって窪む凹部であってもよい。
【００１６】
このような構成によれば、駆動伝達部材は、カム部材である。また、カム部材は、撹拌部材に対して第１軸線周りに取り付けられている。
【００１７】
そのため、カム部材と撹拌部材とを効率的に配置しつつ、一体的に回転させることができる。
【００１８】
また、第１部分は、カム部材の外周面であり、第２部分は、カム部材の外周面から第２軸線に向かって凹む凹部である。
【００１９】
そのため、駆動受け部をカム部材の外周面に接触させることで、駆動受け部をカム部材の外周面に円滑に向かい合わせることができる。また、駆動受け部をカム部材の凹部へ入り込ませることで、駆動受け部をカム部材の凹部に円滑に向かい合わせることができる。
（３）また、撹拌部材は、可撓性を有する撹拌羽根を備えてもよい。撹拌羽根は、撹拌部材が回転しているときに、周期的に駆動受け部に接触し、駆動受け部が凹部に入り込むことを抑制してもよい。
【００２０】
このような構成によれば、撹拌部材が回転しているときは、撹拌羽根により駆動受け部が凹部に入り込むことが抑制される。
【００２１】
そのため、駆動受け部が凹部に入り込むことにより、移動体が現像剤の流動の妨げになることを抑制できる。
（４）また、撹拌部材は、可撓性を有する撹拌羽根を備えてもよい。撹拌羽根は、撹拌部材が回転しているときに、周期的に駆動受け部に接触し、駆動受け部をカム部材から離間させるように構成されてもよい。
【００２２】
このような構成によれば、撹拌部材が回転しているときに、駆動受け部は、撹拌羽根によってカム部材の外周面から離間される。
【００２３】
そのため、撹拌羽根によって駆動受け部を移動させることができ、これにより、現像剤をほぐすことができる。
（５）また、カム部材の外周面は、第１軸線からの寸法が異なる形状を有してもよい。
【００２４】
このような構成によれば、カム部材の外周面の領域に応じて、その外周面に向かい合う駆動受け部が移動する。
【００２５】
その結果、撹拌部材を回転することにより、移動体を移動させて現像剤をほぐすことができる。
【００２６】
また、カム部材の外周面であって、凹部に対して回転方向の下流側に位置する外周面の領域を第１軸線からの寸法を長く形成すれば、駆動受け部が凹部に入り込むことを抑制できる。
（６）また筐体は、現像剤を収容するように構成される第１収容部と、第１収容部に隣接し、ローラ部材を収容する第２収容部と、第１収容部と第２収容部とを連通する開口部とを有してもよい。移動体は、可撓性を有し、第１姿勢のときに開口部を閉鎖する閉鎖部材を備えてもよい。
【００２７】
このような構成によれば、移動体は、第１姿勢のときに開口部を閉鎖する閉鎖部材を備える。
【００２８】
そのため、閉鎖部材により、開口部を確実に閉鎖できる。
（７）また、移動体は、回転軸から径方向に向かって突出する掻出部をさらに備えてもよい。掻出部は、移動体が回転するときに、第２収容部に位置する現像剤を、第１収容部に向かって掻き出すように構成されてもよい。
【００２９】
このような構成によれば、移動体は、掻出部を備える。掻出部は、第２収容部に位置する現像剤を、第１収容部に向かって掻き出すように構成される。
【００３０】
そのため、掻出部によって、第２収容部に位置する現像剤を第１収容部に円滑に流動させることができる。
（８）また、筐体は、回転軸に向かって突出し、移動体を位置決めするための位置決め部を備えてもよい。移動体は、回転軸から径方向に向かって突出し、第１姿勢のときに位置決め部に当接する当接部をさらに備えてもよい。位置決め部は、当接部との接触面に弾性部材を備えていてもよい。
【００３１】
このような構成によれば、筐体は、移動体を位置決めするための位置決め部を備える。移動体は、第１姿勢のときに位置決め部に当接する当接部を備える。
【００３２】
そのため、当接部を位置決め部に当接させることにより、移動体を第１姿勢に確実に位置決めできる。
【００３３】
また、位置決め部は、当接部との接触に弾性部材を備える。
【００３４】
そのため、位置決め部に当接部を弾性的に当接させることができる。
【００３５】
その結果、位置決め部に当接部が当接することによる衝突音が発生することを抑制できる。
【発明の効果】
【００３６】
本発明の現像カートリッジでは、撹拌部材の動作前においては現像剤の供給を確実に規制し、撹拌部材の動作中においては現像剤を確実に供給できる。
【図面の簡単な説明】
【００３７】
【図１】図１は、本発明の現像カートリッジの一実施形態を示す平面図である。
【図２】図２は、図１に示す現像カートリッジのＡ−Ａ断面図である。
【図３】図３は、図１に示す現像カートリッジを装着したプリンタの側断面図である。
【図４】図４は、図１に示す現像カートリッジの第１フレームを示す斜視図である。
【図５】図５Ａは、図１に示す現像カートリッジのＡ−Ａ断面図であって、撹拌部材が回転を開始した直後を示す側断面図である。図５Ｂは、図１に示す現像カートリッジのＡ−Ａ断面図であって、図５Ａに示す状態から撹拌部材がさらに回転した状態を示す側断面図である。
【図６】図６Ａは、図１に示す現像カートリッジのＡ−Ａ断面図であって、搬送部材と撹拌羽根とが接触する直前の状態を示す側断面図である。図６Ｂは、図１に示す現像カートリッジのＡ−Ａ断面図であって、搬送部材と撹拌羽根とが接触している状態を示す側断面図である。
【図７】図７Ａは、図１に示す現像カートリッジの第２実施形態を示す側断面図であって、搬送部材が規制位置に位置する状態を示す側断面図である。図７Ｂは、図７Ａに示す現像カートリッジの側断面図であって、搬送部材が回転を開始した直後を示す側断面図である。図７Ｃは、図７Ａに示す現像カートリッジの側断面図であって、搬送部材と異形カムの外周面の中央部とが接触している状態を示す側断面図である。
【図８】図８Ａは、図７Ａに示す現像カートリッジの側断面図であって、搬送部材と異形カムとが離れる直前の状態を示す側断面図である。図８Ｂは、図７Ａに示す現像カートリッジの側断面図であって、搬送部材が再び異形カムに接触した状態を示す側断面図である。
【図９】図９Ａは、図１に示す現像カートリッジの第３実施形態の第１フレームを示す斜視図であって、搬送部材が規制位置に位置する状態を示す斜視図である。図９Ｂは、図９Ａに示す現像カートリッジの側断面図であって、搬送部材が回転を開始した直後を示す側断面図である。図９Ｃは、図９Ａに示す現像カートリッジの側断面図であって、搬送部材と第１カムとが接触している状態を示す側断面図である。
【図１０】図１０Ａは、図１に示す現像カートリッジの第４実施形態を示す側断面図であって、搬送部材が規制位置に位置する状態を示す側断面図である。図１０Ｂは、図１０Ａに示す現像カートリッジの側断面図であって、搬送部材の規制状態が解除された状態を示す側断面図である。図１０Ｃは、図１０Ａに示す現像カートリッジの側断面図であって、搬送部材の移動が完了した状態を示す側断面図である。
【発明を実施するための形態】
【００３８】
１．現像カートリッジの概略
現像カートリッジ１は、図１および図２に示すように、筐体２と、撹拌部材の一例としてのアジテータ３と、供給ローラ４と、ローラ部材の一例としての現像ローラ５と、層厚規制ブレード６とを備えている。
【００３９】
なお、以下の説明において、現像カートリッジ１の方向に言及するときには、現像ローラ５が配置されている方を、現像カートリッジ１の後方とし、その反対を現像カートリッジ１の前方とする。すなわち、図１の紙面上方が現像カートリッジ１の後方であり、紙面下方が現像カートリッジ１の前方である。また、図１の紙面手前が現像カートリッジ１の上方であり、紙面奥が現像カートリッジ１の下方である。また、現像カートリッジ１を前方から見たときを左右の基準とする。すなわち、図１の紙面右方が現像カートリッジ１の右方であり、紙面左方が現像カートリッジ１の左方である。なお、具体的には、各図において方向を矢印にて示す。また、左右方向は第１方向の一例であり、前後方向は第２方向の一例であり、上下方向は第３方向の一例である。
【００４０】
筐体２は、左右方向に延びる略ボックス状であり、現像剤の一例としてのトナーを収容している。また、筐体２の後端部は、前後方向に開放されている。
【００４１】
アジテータ３は、筐体２内の前方部分に配置されている。
【００４２】
供給ローラ４は、筐体２内において、アジテータ３の後下方に配置されている。供給ローラ４は、筐体２に回転可能に支持されている。
【００４３】
現像ローラ５は、供給ローラ４の後上方に配置され、筐体２の後端部に配置されている。現像ローラ５は、アジテータ３の後方に間隔を隔てて位置している。現像ローラ５の前下端部は、供給ローラ４の後上端部と圧接している。また、現像ローラ５の上方部分および後方部分は、筐体２から露出している。そして、現像ローラ５は、筐体２に回転可能に支持されている。
【００４４】
層厚規制ブレード６は、現像ローラ５の前上方に配置されている。層厚規制ブレード６の下端部は、現像ローラ５の前端部に接触している。
２．現像カートリッジの使用態様
図３に示すように、現像カートリッジ１は、プリンタ１０に装備される。プリンタ１０は、電子写真方式のモノクロプリンタである。プリンタ１０は、装置本体２０と、プロセスカートリッジ１１と、スキャナユニット１２と、定着ユニット１３とを備えている。なお、プリンタ１０の方向について言及する場合には、プリンタ１０を水平方向に載置した状態を基準とし、具体的には、図３中の矢印方向を基準とする。
【００４５】
装置本体２０は、略ボックス形状を有している。装置本体２０は、開口部３０と、トップカバー７と、給紙トレイ８と、排紙トレイ９とを有している。
【００４６】
開口部３０は、装置本体２０の前上端部に配置されている。開口部３０は、プロセスカートリッジ１１の通過を許容するように、装置本体２０の内外を前上方と後下方とを結ぶ方向に連通している。
【００４７】
トップカバー７は、装置本体２０の上端部に配置されている。トップカバー７は、前後方向に延びる略平板形状を有している。トップカバー７は、その後端部を支点として装置本体２０の後壁の上端部に揺動可能に支持されている。トップカバー７は、開口部３０を開放または閉鎖する。
【００４８】
給紙トレイ８は、装置本体２０の底部に配置されている。給紙トレイ８は、用紙Ｐが載置されるように構成されている。
【００４９】
排紙トレイ９は、装置本体２０の上壁の後半分に配置されている。排紙トレイ９は、用紙Ｐが載置されるように、装置本体２０の上面から下方へ凹んでいる。
【００５０】
プロセスカートリッジ１１は、装置本体２０の上下方向略中央に配置されている。プロセスカートリッジ１１は、開口部３０を介して装置本体２０に対して装着または離脱するように構成されている。プロセスカートリッジ１１は、ドラムカートリッジ１４と、現像カートリッジ１とを備えている。
【００５１】
プロセスカートリッジ１１は、ドラムカートリッジ１４と、上記の現像カートリッジ１とを備えている。
【００５２】
ドラムカートリッジ１４は、感光ドラム１６と、転写ローラ１７と、スコロトロン型帯電器１８とを備えている。
【００５３】
感光ドラム１６は、ドラムカートリッジ１４の後方部分において、回転可能に支持されている。
【００５４】
転写ローラ１７は、感光ドラム１６に対して後方に位置しており、ドラムカートリッジ１４の後方部分において、回転可能に支持されている。転写ローラ１７の前上端部は、感光ドラム１６の後下端部に圧接している。
【００５５】
スコロトロン型帯電器１８は、感光ドラム１６の前上方に間隔を隔てて位置している。
【００５６】
現像カートリッジ１は、ドラムカートリッジ１４に対して着脱可能に装着されている。これによって現像カートリッジ１は、筐体２に対して着脱可能に装着されている。現像カートリッジ１は、ドラムカートリッジ１４に対して装着された状態において、感光ドラム１６の前下方に位置している。現像カートリッジ１の現像ローラ５の後上端部は、感光ドラム１６の前下端部に接触している。
【００５７】
スキャナユニット１２は、装置本体２０の前端部内において、プロセスカートリッジ１１の前方に配置されている。スキャナユニット１２は、感光ドラム１６に向けて画像データに基づくレーザービームＬを出射するように構成されている。
【００５８】
定着ユニット１３は、プロセスカートリッジ１１の上方に配置されている。定着ユニット１３は、加熱ローラ２６と、加熱ローラ２６の後上端部に圧接される加圧ローラ２７とを備えている。
【００５９】
プリンタ１０が画像形成動作を開始すると、スコロトロン型帯電器１８は、感光ドラム１６の表面を一様に帯電する。スキャナユニット１２は、画像データに基づいて感光ドラム１６の表面を露光する。これにより、画像データに基づく静電潜像が、感光ドラム１６の表面に形成される。
【００６０】
また、現像カートリッジ１内のトナーは、供給ローラ４と現像ローラ５との間で正極性に摩擦帯電され、現像ローラ５に担持される。層厚規制ブレード６は、現像ローラ５に担持されたトナーの層厚を一定厚さに規制する。
【００６１】
そして、現像ローラ５に担持されたトナーは、感光ドラム１６表面の静電潜像に供給される。これにより、トナー像が、感光ドラム１６の表面に担持される。
【００６２】
用紙Ｐは、給紙トレイ８から、各種ローラの回転により、所定のタイミングで１枚ずつ、感光ドラム１６と転写ローラ１７との間に給紙される。感光ドラム１６の表面のトナー像は、用紙Ｐが感光ドラム１６と転写ローラ１７との間を通過するときに、用紙Ｐに転写される。
【００６３】
その後、用紙Ｐは、加熱ローラ２６と加圧ローラ２７との間を通過するときに加熱および加圧される。これにより、用紙Ｐ上のトナー像は、用紙Ｐに熱定着される。その後、用紙Ｐは、排紙トレイ９に排紙される。
【００６４】
このように用紙Ｐは、プリンタ１０の画像形成動作において、給紙トレイ８から排紙トレイ９へ、側面視略Ｃ字状の搬送経路を搬送される。
３．現像カートリッジの詳細
図１および図２に示すように、現像カートリッジ１の筐体２は、ポリスチレンなどの樹脂からなり、第１フレーム６１と、第２フレーム６２とを備えている。
（１）第１フレーム
図２および図４に示すように、第１フレーム６１は、現像カートリッジ１の下方部分を構成している。第１フレーム６１は、現像左壁６３と、現像右壁６４と、現像前壁６５と、現像底壁６６とを一体的に備えている。
【００６５】
現像左壁６３は、第１フレーム６１の左端部に位置している。現像左壁６３は、側面視略矩形の板形状を有している。現像左壁６３は、横リブ７３と、縦リブ７４とを備えている。
【００６６】
横リブ７３は、現像左壁６３の後上端部に位置している。横リブ７３は、平面視略矩形の板形状であって、現像左壁６３の右面から右方に向かって突出しており、現像左壁６３の後上端部において、前後方向に延びている。
【００６７】
縦リブ７４は、正面視略矩形の板形状であって、横リブ７３の前後方向略中央のやや後方部分から下方に向かって突出している。縦リブ７４は、左右方向に投影したときに、後述する図２に示す第２縦壁８１Ｂと重なるように位置している。縦リブ７４の下端部には、左スポンジ８５が取り付けられている。
【００６８】
図２および図４に示すように、左スポンジ８５は、正面視略矩形の薄板形状を有している。左スポンジ８５は、縦リブ７４の下端部の後方面に取り付けられている。
【００６９】
現像右壁６４は、第１フレーム６１の右端部に位置しており、現像左壁６３に対して右方に間隔を隔てて位置している。また、現像右壁６４は、現像左壁６３と同様に、側面視略矩形の板形状を有している。現像右壁６４は、トナー充填口７１を有している。
【００７０】
トナー充填口７１は、現像右壁６４の前方半分において、現像右壁６４を左右方向に貫通している。トナー充填口７１は、側面視略円形状を有している。トナー充填口７１は、通常、図示しないキャップが取り付けられている。
【００７１】
現像前壁６５は、第１フレーム６１の前端部に位置しており、現像左壁６３および現像右壁６４の前端部間に架設されている。現像前壁６５は、左右方向に延びる正面視略矩形の板形状を有している。現像前壁６５は、１対の現像把持部６０を備えている。
【００７２】
１対の現像把持部６０のそれぞれは、現像前壁６５の左右方向両端部から前上方に向かって突出している。
【００７３】
現像底壁６６は、第１フレーム６１の下端部に位置しており、現像左壁６３および現像右壁６４の下端部間に架設されている。また、現像底壁６６の前端部は、現像前壁６５の下端部に連続している。現像底壁６６は、湾曲部６７と、円弧部６８と、リップ部６９とを一体的に備えている。
【００７４】
湾曲部６７は、現像底壁６６の前方部分に位置している。湾曲部６７は、現像前壁６５の下端部から連続して後方に向かって延び、かつ、下方に向かって湾曲している。
【００７５】
円弧部６８は、湾曲部６７の後方に隣接するように位置している。円弧部６８は、上方に向かって開放される側面視略半円弧形状を有している。円弧部６８の前端部は、湾曲部６７の後端部に接続している。円弧部６８と湾曲部６７との連続部分が連続部分７０である。
【００７６】
リップ部６９は、円弧部６８の後方に隣接するように位置しており、円弧部６８の後端部から連続して後方に向かって延びている。
（２）第２フレーム
図１および図２に示すように、第２フレーム６２は、第１フレーム６１を上方から被覆している。第２フレーム６２は、左右方向に延びる平面視略矩形の板形状を有している。第２フレーム６２は、前上壁７５と、後上壁７６とを一体的に備えている。
【００７７】
前上壁７５は、第２フレーム６２の前方部分であって、突出部７７と、鍔部７８とを有している。
【００７８】
突出部７７は、鍔部７８から上方に向かって突出する平面視略矩形の上方が閉鎖される角筒形状を有している。換言すれば、突出部７７は、左右方向に延び、下方に向かって開放される略ボックス形状を有している。
【００７９】
鍔部７８は、平面視において、突出部７７を囲むように、突出部７７に対して左右両方および前方に配置されている。鍔部７８は、後方に向かって開放される平面視略コ字状を有している。鍔部７８の右方部分の左端部は、突出部７７の右下端部に連続している。鍔部７８の左方部分の右端部は、突出部７７の左下端部に接続されている。
【００８０】
後上壁７６は、第２フレーム６２の後方部分であって、平板部８０と、３個の縦壁８１とを備えている。
【００８１】
平板部８０は、突出部７７の後下端部、および、鍔部７８の左右方向両端部の後端部から連続して後方に向かって延びている。また、平板部８０は、左右方向に延びる平面視略矩形の板形状を有している。
【００８２】
３個の縦壁８１は、第１縦壁８１Ａと、位置決め部の一例としての第２縦壁８１Ｂと、第３縦壁８１Ｃとを備えている。
【００８３】
第１縦壁８１Ａは、平板部８０の下面から下方に向かって突出している。第１縦壁８１Ａは、左右方向に延びており、正面視略矩形の板形状を有している。第１縦壁８１Ａの上端は、平板部８０の前端部に連結している。
【００８４】
第２縦壁８１Ｂは、平板部８０の下面から下方に向かって突出している。換言すれば、第２縦壁８１Ｂは、後述する搬送部材１７１の揺動軸１７３に向かって突出している。第２縦壁８１Ｂは、左右方向に延びており、正面視略矩形の板形状を有している。第２縦壁８１Ｂの上端は、平板部８０の前後方向の中央部に連結している。第２縦壁８１Ｂは、第１縦壁８１Ａの後方に間隔を隔てて位置している。第２縦壁８１Ｂの下端は、第１縦壁８１Ａおよび後述する第３縦壁８１Ｃの下端よりも下方に位置している。第２縦壁８１Ｂの下端部の後方面には、弾性部材の一例としての中央スポンジ７２が取り付けられている。
【００８５】
中央スポンジ７２は、平面視略形の薄板形状であって、第２縦壁８１Ｂの下端部の左右方向のほぼ全域にわたって取り付けられている。
【００８６】
第３縦壁８１Ｃは、平板部８０の下面から下方に向かって突出している。第３縦壁８１Ｃは、左右方向に延びており、正面視略矩形の板形状を有している。第３縦壁８１Ｃの上端は、平板部８０の後端部に連続連結している。第３縦壁８１Ｃは、第２縦壁８１Ｂの後方に間隔を隔てて位置している。
【００８７】
そして、図２に示すように、第２フレーム６２の鍔部７８の左右方向両端部と平板部８０の左右方向両端部とが、第１フレーム６１の現像左壁６３の上端部と現像右壁６４の上端部とに溶着され、第２フレーム６２の鍔部７８の前端部が、第１フレーム６１の現像前壁６５の上端部に溶着されることで、第２フレーム６２と第１フレーム６１とが組み合わされて、現像カートリッジ１の筐体２が構成される。
（３）現像室およびトナー収容室
現像カートリッジ１内において、連続部分７０と第２縦壁８１Ｂの下端部とを結ぶ仮想線分Ｖよりも後方の空間が第１収容部の一例としての現像室９０として画定され、仮想線分Ｖよりも前方の空間が第２収容部の一例としてのトナー収容室９１として画定される。
【００８８】
詳しくは、現像左壁６３の後方部分と、現像右壁６４の後方部分と、後上壁７６の後方部分と、現像底壁６６の円弧部６８およびリップ部６９と、第２縦壁８１Ｂとにより現像室９０が画定されている。
【００８９】
また、現像左壁６３の前方部分と、現像右壁６４の前方部分と、後上壁７６の前方部分と、前上壁７５と、現像底壁６６の湾曲部６７と、第２縦壁８１Ｂとにより収容部の一例としてのトナー収容室９１が画定されている。トナー収容室９１は、内部にトナーを収容している。
【００９０】
現像室９０とトナー収容室９１との境界においては、開口部１００が画定されている。詳しくは、開口部１００は、第２縦壁８１Ｂの下端部と、連続部分７０の上端部と、現像左壁６３の中央部と、現像右壁６４の中央部とにより画定されている。開口部１００は、現像室９０とトナー収容室９１とを前後方向に連通している。
（４）現像ローラおよび供給ローラ
現像ローラ５は、現像室９０の後端部に位置しており、リップ部６９の上方に間隔を隔てて位置している。現像ローラ５は、左右方向に延びる略円柱形状を有している。現像ローラ５の左端部は、現像左壁６３の後端部の上下方向略中央部に回転可能に支持され、現像ローラ５の右端部は、現像右壁６４の後端部の上下方向略中央部に回転可能に支持されている。
【００９１】
供給ローラ４は、現像室９０において、現像ローラ５に対して、前方かつ下方に配置されており、円弧部６８内に収容されている。供給ローラ４は、左右方向に延びる略円柱形状を有している。供給ローラ４の左端部は、現像左壁６３の後端部の下端部に回転可能に支持され、供給ローラ４の右端部は、現像右壁６４の後端部の下端部に回転可能に支持されている。供給ローラ４の後下端部は、現像ローラ５の前下端部と接触している。
（５）アジテータ
図２および図４に示すように、現像カートリッジ１は、アジテータ３と搬送ユニット１７０とを備えている。
【００９２】
アジテータ３は、トナー収容室９１において第１フレーム６１の突出部７７の下方に位置している。アジテータ３は、アジテータ軸１３３と、撹拌羽根１３４とを備えている。      
【００９３】
アジテータ軸１３３は、軸本体１３６と、１対の回転軸１３７とを一体的に備えている。
【００９４】
軸本体１３６は、断面略矩形を有しており、左右方向に延びている。
【００９５】
１対の回転軸１３７は、軸本体１３６の左右両端部に位置している。１対の回転軸１３７のそれぞれは、左右方向に延びる略円柱形状を有しており、軸本体１３６の左右方向端面から、左右方向外方に向かって突出している。左方の回転軸１３７は、現像左壁６３の前端部に回転可能に支持され、右方の回転軸１３７が現像右壁６４の後端部に回転可能に支持されている。これにより、１対の回転軸１３７は、左右方向に延びる第１軸線の一例としての回転中心Ａ１を中心として回動可能である。すなわち、アジテータ３は、回転方向Ｒに回転する。なお、回転方向Ｒは、右側面視反時計回り方向である。左方の回転軸１３７の右端部には、駆動伝達部材およびカム部材の一例としてのカム１３８が位置している。
【００９６】
カム１３８は、左方の回転軸１３７の右端部に位置し、軸本体１３６の左方に隣接している。カム１３８は、左方の回転軸１３７に一体的に取り付けられている。カム１３８は、側面視略円形の板形状を有しており、左方の回転軸１３７の周面から、回転軸１３７の径方向外方に向かって広がっている。そのため、カム１３８の回転中心は、回転軸１３７の回転中心Ａ１と一致している。
【００９７】
カム１３８は、第１部分の一例としての円形部分１４０と、第２部分の一例としての凹部１４１とを有している。
【００９８】
円形部分１４０は、カム１３８における中心角が略３３０°の部分であり、側面視において略円板形状を有している。なお、円形部分１４０の曲率半径は、円形部分１４０の周方向全体にわたって一定である。
【００９９】
凹部１４１は、回転方向Ｒにおいて、円形部分１４０の上流側端部と下流側端部との間に位置している。凹部１４１は、カム１３８における中心角が略３０°の部分であり、カム１３８の外周面から径方向内方に向かって窪む形状を有している。すなわち、凹部１４１は、側面視において、カム１３８の径方向外方が開放された略コ字状を有している。凹部１４１は、第１切欠面１４２と、第２切欠面１４３と、第３切欠面１４４とを有している。
【０１００】
第１切欠面１４２は、円形部分１４０の回転方向Ｒの下流側端部からカム１３８の径方向内方に向かって延びている。第１切欠面１４２は、カム１３８の外周面から径方向における中央部まで延びている。
【０１０１】
第３切欠面１４４は、円形部分１４０の回転方向Ｒの上流側端部からカム１３８の径方向内方に向かって延びている。第１切欠面１４２は、カム１３８の外周面から径方向における中央部まで延びている。側面視において、第３切欠面１４４の延長線と第１切欠面１４２と延長線とは、略３０°の角度で交差しており、その交差点は、回転中心Ａ１と略一致している。
【０１０２】
第２切欠面１４３は、回転方向Ｒに沿って、第１切欠面１４２におけるカム１３８の径方向内方側端部から、第３切欠面１４４におけるカム１３８の径方向内方側端部まで延びている。
【０１０３】
撹拌羽根１３４は、ポリエチレンテレフタレート（ＰＥＴ）などの可撓性を有するフィルム材料からなる。撹拌羽根１３４は、左右方向に延びる略矩形状を有している。すなわち、撹拌羽根１３４は左右方向に長く、左右方向と直交する方向に短い略矩形状を有している。撹拌羽根１３４の左右方向寸法は、軸本体１３６の左右方向寸法と略同じである。撹拌羽根１３４の短手方向の一端部は、軸本体１３６の外周面に支持されている。換言すれば、撹拌羽根１３４は、軸本体１３６から径方向外方に向かって突出している。
（６）搬送ユニット
搬送ユニット１７０は、現像室９０とトナー収容室９１との境界に位置している。搬送ユニット１７０は、移動体の一例としての搬送部材１７１と、閉鎖部材の一例としてのフィルム部材１７２とを備えている。
【０１０４】
搬送部材１７１は、回転軸の一例としての揺動軸１７３と、搬送部１７４と、駆動受け部の一例としてのカム接触部１７５と、掻出部１７６とを一体的に備えている。
【０１０５】
揺動軸１７３は、第２縦壁８１Ｂの下方に間隔を隔てて位置している。揺動軸１７３は、左右方向に延びる略円柱形状を有している。揺動軸１７３の左端部は、現像左壁６３の中央部に回転可能に支持され、揺動軸１７３の右端部は、現像右壁６４の中央部に回転可能に支持されている。これにより、揺動軸１７３は、左右方向に延びる第２軸線の一例としての回転中心Ａ２を中心として回動可能である。
【０１０６】
搬送部１７４は、左右方向に延びる略矩形の板形状を有しており、揺動軸１７３の周面から連続して、揺動軸１７３の径方向外方の一方向に向かって突出している。
【０１０７】
カム接触部１７５は、揺動軸１７３の左端部に位置している。カム接触部１７５は、揺動軸１７３から径方向外方の一方向に向かって突出する略角柱形状を有している。カム接触部１７５は、左右方向において、カム１３８とほぼ同じ位置に位置している。カム接触部１７５の先端部は、側面視において、カム１３８の凹部１４１の内方に入り込むように構成されている。カム接触部１７５は、揺動軸１７３と一体となって、回転中心Ａ２を中心として回転可能である。
【０１０８】
掻出部１７６は、左右方向に延びる略矩形の板形状を有しており、揺動軸１７３の周面から連続して、揺動軸１７３の径方向外方の一方向に向かって突出している。掻出部１７６と搬送部１７４とは、揺動軸１７３において互いに異なる部分から、揺動軸１７３の径方向の外方の異なる方向に向かって延びている。掻出部１７６と搬送部１７４とは、側面視において鈍角のＶ字形状を有している。掻出部１７６の先端部が当接部の一例である。
【０１０９】
フィルム部材１７２は、ポリエチレンテレフタレート（ＰＥＴ）などの可撓性を有するフィルム材料からなる。フィルム部材１７２は、左右方向に延びる略矩形状を有している。フィルム部材１７２の上端部は、搬送部１７４の先端部に取り付けられている。
【０１１０】
搬送部材１７１には、図示しないばねの付勢力が付与されている。これにより、搬送ユニット１７０は、回転中心Ａ２を中心として、常には右側面視反時計回り方向に付勢されている。
４．アジテータの動作前における搬送部材の配置
図２および図４に示すように、プリンタ１０の動作前、すなわち、アジテータ３が回転を開始する前においては、搬送ユニット１７０は、開口部１００を閉鎖している。詳しくは、搬送部材１７１は、右側面視反時計周りの方向に向かう付勢力により、掻出部１７６の左右方向ほぼ全域にわたる上端部の前面が中央スポンジ７２を介して第２縦壁８１Ｂの下端部に係合し、掻出部１７６の左端部の上端部の前面が左スポンジ８５を介して縦リブ７４の下端部に係合している。これにより、搬送ユニット１７０が位置決めされる。
【０１１１】
図２に示すように、この状態において、搬送部１７４は、揺動軸１７３から前下方に向かって延びている。搬送部材１７１の搬送部１７４の先端部は、連続部分７０と近接しており、フィルム部材１７２の先端部が連続部分７０と係合している。掻出部１７６は、揺動軸１７３から上方に向かって延びている。カム接触部１７５の先端部は、カム１３８の凹部１４１の内方に入り込んでいる。詳しくは、カム接触部１７５の先端は、側面視において、カム１３８の凹部１４１の中央部に位置している。この状態の搬送部材１７１の位置が第１姿勢である。すなわち、搬送部材１７１が第１姿勢に位置している状態において、カム接触部１７５は、カム１３８凹部１４１に向かい合っている。
【０１１２】
搬送ユニット１７０が位置決めされた状態において、開口部１００は、搬送部材１７１およびフィルム部材１７２によって閉鎖されている。換言すれば、現像室９０とトナー収容室９１とは、搬送部材１７１およびフィルム部材１７２によって仕切られている。これにより、搬送部材１７１が第１姿勢に位置している状態においては、トナー収容室９１のトナーが現像室９０に流入することが規制される。
５．アジテータの動作
上記したように、プリンタ１０において画像形成動作が開始すると、アジテータ３は、所定の回転速度で、回転方向Ｒに沿って、右側面視反時計回りに回転する。アジテータ３の回転に伴って、カム１３８も回転方向Ｒに回転する。
【０１１３】
すると、図５Ａに示すように、カム１３８の第１切欠面１４２の径方向外方端部が、搬送部材１７１のカム接触部１７５の下面に対して下方から当接する。
【０１１４】
次いで、カム１３８の第１切欠面１４２は、アジテータ３の回転に伴って、カム接触部１７５を上方に向かって押圧する。
【０１１５】
これによって、搬送部材１７１が回転中心Ａ２を中心として、右側面視時計回りに回転し、フィルム部材１７２と連続部分７０との係合が解除される。
【０１１６】
次いで、アジテータ３がさらに回転すると、カム１３８の第１切欠面１４２は、カム接触部１７５から離れる。また、カム接触部１７５の先端部は、カム１３８の円形部分１４０の外周面であって、回転方向Ｒの下流側の外周面に当接する。
【０１１７】
そして、カム１３８がさらに回転すると、図５Ｂに示すように、カム１３８の円形部分１４０の外周面であって、回転方向Ｒの下流側部分から上流側部分が、カム接触部１７５の先端部に順次に摺接する。また、撹拌羽根１３４の遊端部は、湾曲部６７の上面と摺擦し、トナー収容室９１内のトナーを、撹拌するとともに後方に向かって搬送する。撹拌羽根１３４は、湾曲部６７の上面との摩擦力により、弾性力に抗して変形される。具体的には、撹拌羽根１３４は、回転方向Ｒの上流に向かって反るように湾曲する。
【０１１８】
そして、アジテータ３がさらに回転すると、図６Ａに示すように、撹拌羽根１３４の遊端部と、湾曲部６７の上面との摺擦が解除される。すると、弾性変形された撹拌羽根１３４が復元し、撹拌羽根１３４は、その弾性力によって、トナー収容室９１内のトナーを、前方から後方へ送り出すように、現像室９０に向けて供給する。
【０１１９】
また、搬送部１７４は、トナー収容室９１から現像室９０へ供給されるトナーが、搬送部１７４よりも上方に流動することを規制し、供給ローラ４に向かうトナーの流動をガイドする。
【０１２０】
次いで、アジテータ３がさらに回転すると、カム１３８の円形部分１４０の外周面であって、回転方向Ｒの上流側端部の外周面が、カム接触部１７５の先端部に到達する。
【０１２１】
次いで、アジテータ３がさらに回転すると、カム１３８の円形部分１４０が、カム接触部１７５から離れるとともに、撹拌羽根１３４が、搬送部１７４の先端部に対して下方から、フィルム部材１７２を介して当接する。
【０１２２】
そして、図６Ｂに示すように、撹拌羽根１３４は、その弾性力により、カム１３８の回転に伴って、搬送部材１７１を回転中心Ａ２を中心として右側面視時計回りにさらに回転させる。これにより、カム接触部１７５とカム１３８とは離間する。
【０１２３】
次いで、アジテータ３がさらに回転すると、図５Ｂに示すように、撹拌羽根１３４と搬送部１７４との接触状態が解除され、搬送部材１７１が回転中心Ａ２を中心として右側面視反時計回りに回転する。そして、カム１３８の円形部分１４０の外周面であって、回転方向Ｒの下流側の外周面が、カム接触部１７５の先端部に当接する。これによって、掻出部１７６は、掻出部１７６の上方に位置する滞留トナーを、現像室９０からトナー収容室９１に向かって掻き出す。
【０１２４】
なお、図５Ｂおよび図６Ａに示す搬送部材１７１の位置が、搬送部材１７１の第２姿勢である。すなわち、カム接触部１７５がカム１３８凹部の円形部分１４０に向かい合っている搬送部材１７１の姿勢が、搬送部材１７１の第２姿勢である。搬送部材１７１が第２姿勢に位置している状態においては、トナー収容室９１のトナーが現像室９０に流入することが許容される。
【０１２５】
このように、アジテータ３が回転方向Ｒに沿って右側面視反時計回りに回転すると、搬送部材１７１は、カム１３８の円形部分１４０の外周面および撹拌羽根１３４に当接することにより、回転中心Ａ２を中心として、右側面視時計回り、または、右側面視反時計回りに回転する。
６．作用効果
（１）この現像カートリッジ１によれば、図２に示すように、アジテータ３が回転を開始する前は、搬送部材１７１は、開口部１００を閉鎖する第１姿勢を維持している。
【０１２６】
そのため、アジテータ３が回転を開始する前は、搬送部材１７１およびフィルム部材１７２により、現像ローラ５にトナーが流入することが規制される。
【０１２７】
その結果、梱包時や出荷時等の現像カートリッジ１の搬送中に、開口部１００からトナー漏れが生じることを防止できる。
【０１２８】
また、アジテータ３が回転しているときは、搬送部材１７１は、カム１３８の円形部分１４０の外周面に接触している。そのため、搬送部材１７１は、現像ローラ５へのトナーの供給を許容する第２姿勢を維持している。
【０１２９】
そのため、アジテータ３が回転しているときは、搬送部材１７１によって、トナーが現像ローラ５に向けて流入することが許容される。
【０１３０】
その結果、アジテータ３が回転しているときは、トナーを現像ローラ５へ確実に供給できる。
【０１３１】
さらに、アジテータ３が回転しているときは、搬送部材１７１はトナーの流入を規制しないため、規制動作に伴う動作音が生じることを抑制できる。
（２）また、この現像カートリッジ１によれば、図４に示すように、また、カム１３８は、軸本体１３６に対して取り付けられている。カムは、回転中心Ａ１を中心として回転可能である。
【０１３２】
そのため、カム１３８と軸本体１３６とを効率的に配置しつつ、一体的に回転させることができる。
【０１３３】
また、カム接触部１７５をカム１３８の円形部分１４０の外周面に接触させることで、カム接触部１７５をカム１３８の外周面に向かい合わせることができる。また、カム接触部１７５をカム１３８の凹部１４１へ入り込ませることで、カム接触部１７５をカム１３８の凹部１４１に向かい合わせることができる。
（３）また、この現像カートリッジ１によれば、図６Ｂに示すように、アジテータ３が回転しているときは、撹拌羽根１３４によりカム接触部１７５がカム１３８の凹部１４１に入り込むことが抑制される。
【０１３４】
そのため、カム接触部１７５がカム１３８の凹部１４１に入り込むことにより、搬送部材１７１がトナーの流動の妨げになることを抑制できる。
（４）また、この現像カートリッジ１によれば、図６Ｂに示すように、アジテータ３が回転しているときに、搬送部材１７１は、撹拌羽根１３４によってカム１３８の外周面から離間している。
【０１３５】
そのため、撹拌羽根１３４によって搬送部材１７１を移動させることができ、これにより、トナーをほぐすことができる。
（５）また、この現像カートリッジ１によれば、図２に示すように、アジテータ３の回転前は、搬送部材１７１およびフィルム部材１７２により開口部１００を閉鎖している。フィルム部材１７２は、連続部分７０に接触している。
【０１３６】
そのため、フィルム部材１７２により、開口部１００を確実に閉鎖できる。
（６）また、この現像カートリッジ１によれば、図５Ｂに示すように、搬送部材１７１は、掻出部１７６を備えている。掻出部１７６は、現像室９０に位置するトナーを、トナー収容室９１に向かって掻き出すように構成されている。
【０１３７】
そのため、掻出部１７６によって、現像室９０に位置するトナーをトナー収容室９１に円滑に流動させることができる。
（７）また、この現像カートリッジ１によれば、図２に示すように、筐体２は、搬送部材１７１を位置決めするための第２縦壁８１Ｂを備えている。搬送部材１７１は、アジテータ３が回転する前においては、掻出部１７６の上端部が、第２縦壁８１Ｂの下端部に当接している。
【０１３８】
そのため、アジテータ３の回転前においては、搬送部材１７１を確実に第１姿勢に位置決めできる。
【０１３９】
また、第２縦壁８１Ｂの下端部には、中央スポンジ７２が取り付けられている。
【０１４０】
そのため、第２縦壁８１Ｂに搬送部材１７１の掻出部１７６を弾性的に当接させることができる。
【０１４１】
その結果、第２縦壁８１Ｂに掻出部１７６が当接することによる衝突音が発生することを抑制できる。
７．変形例
図７Ａ〜図１０Ｃを参照して、現像カートリッジの変形例を説明する。なお、以下の変形例において、上記第１実施形態と同様の部材には同様の符号を付し、その説明を省略する。
（１）第２実施形態の現像カートリッジ
（１−１）第２実施形態の現像カートリッジの詳細
上記第１実施形態では、アジテータ３の左端部には、カム１３８が位置している。カム１３８の円形部分１４０の曲率半径は、円形部分１４０の周方向全体にわたって一定である。
【０１４２】
対して、第２実施形態では、アジテータ３の左端部には、カム１３８に替えて異形カム１６０が位置している。異形カム１６０の後述する漸増部分１６１の曲率半径は、回転方向Ｒにおける位置によって異なっている。
【０１４３】
詳しくは、図７Ａに示すように、異形カム１６０は、漸増部分１６１と、凹部１６２とを有している。
【０１４４】
漸増部分１６１は、異形カム１６０における中心角が略３３０°の部分であり、側面視において略円板形状を有している。なお、漸増部分１６１の曲率半径は、回転方向Ｒの上流に向かうにつれて大きくなる。つまり、漸増部分１６１の外周面は、側面視において、回転方向Ｒの上流に向かうにつれて、アジテータ３の回転中心Ａ１から離れる。より詳しくは、漸増部分１６１の外周面から回転中心Ａ１までの距離は、漸増部分１６１の外周面の回転方向Ｒの上流側端部が最も長く、回転方向Ｒに沿って下流側に向かうにつれて徐々に短くなり、漸増部分１６１の外周面の回転方向Ｒの下流側端部が最も短い。
【０１４５】
凹部１６２は、回転方向Ｒにおいて、漸増部分１６１の上流側端部と下流側端部との間に位置している。凹部１６２は、異形カム１６０における中心角が略３０°の部分であり、異形カム１６０の外周面から径方向内方に向かって窪む形状を有している。すなわち、凹部１６２は、側面視において、異形カム１６０の径方向外方が開放された略コ字状を有している。凹部１６２は、第１切欠面１６５と、第３切欠面１６３と、第２切欠面１６４とを有している。
【０１４６】
第１切欠面１６５は、漸増部分１６１の回転方向Ｒの下流側端部から異形カム１６０の径方向内方に向かって延びている。第１切欠面１６５は、異形カム１６０の外周面から径方向における中央部まで延びている。
【０１４７】
第３切欠面１６３は、漸増部分１６１の回転方向Ｒの上流側端部から異形カム１６０の径方向内方に向かって延びている。第３切欠面１６３は、異形カム１６０の外周面から径方向における中央部まで延びている。側面視において、第３切欠面１６３の延長線と第１切欠面１６５と延長線とは、略３０°の角度で交差しており、その交差点は、回転中心Ａ１と略一致している。側面視において、第３切欠面１６３の寸法は、第１切欠面１６５の寸法よりも大きい。
【０１４８】
第２切欠面１６４は、回転方向Ｒに沿って、第１切欠面１６５における異形カム１６０の径方向内方側端部から、第３切欠面１６３における異形カム１６０の径方向内方側端部まで延びている。
（１−２）第２実施形態の現像カートリッジの動作
アジテータ３が、回転方向Ｒに沿って、右側面視反時計回りに回転すると、図７Ｂに示すように、異形カム１６０の第１切欠面１６５は、アジテータ３の回転に伴って、カム接触部１７５を上方に向かって押圧する。
【０１４９】
次いで、アジテータ３がさらに回転すると、異形カム１６０の第１切欠面１６５は、カム接触部１７５から離れる。また、カム接触部１７５の先端部は、異形カム１６０の漸増部分１６１の外周面であって、回転方向Ｒの下流側の外周面に当接する。
【０１５０】
そして、異形カム１６０がさらに回転すると、図７Ｃに示すように、異形カム１６０の漸増部分１６１の外周面であって、回転方向Ｒの下流側部分から上流側部分が、カム接触部１７５の先端部に順次に摺接する。搬送部材１７１は、カム接触部１７５の先端部が漸増部分１６１の外周面に順次に摺接することで、右側面視時計回りに徐々に回転する。
【０１５１】
次いで、アジテータ３がさらに回転すると、図８Ａに示すように、異形カム１６０の第３切欠面１６３であって、異形カム１６０における径方向外方側端部がカム接触部１７５の先端部に到達する。このとき、撹拌羽根１３４は、回転方向Ｒに向かって回転し、搬送部材１７１から前方側に離れている。そして、異形カム１６０の第３切欠面１６３は、カム接触部１７５をわずかに持ち上げた後、カム接触部１７５から離れる。
【０１５２】
そして、図８Ｂに示すように、アジテータ３がさらに回転するとともに、搬送部材１７１が右側面視反時計回りに回転する。その直後には、異形カム１６０の第１切欠面１６５であって、異形カム１６０における径方向外方側端部が、カム接触部１７５の先端部に到達する。
【０１５３】
すなわち、異形カム１６０の第３切欠面１６３の径方向外方側端部がカム接触部１７５を持ち上げた後は、カム接触部１７５は、凹部１６２に係合せずに、異形カム１６０の第１切欠面１６５の径方向外方側端部まで移動する。
【０１５４】
その後、アジテータ３がさらに回転すると、アジテータ３の回転に応じて、搬送部材１７１は、右側面視時計回りに徐々に回転する。そして、アジテータ３および搬送部材１７１は、図７Ｃに示す状態に移動する。
【０１５５】
このように、アジテータ３が回転方向Ｒに沿って右側面視反時計回りに回転すると、搬送部材１７１は、異形カム１６０の漸増部分１６１に当接することにより、回転中心Ａ２を中心として、右側面視時計回りに徐々に回転する。また、搬送部材１７１は、異形カム１６０との接触状態が解除することにより、右側面視反時計回りに回転する。これにより、搬送部材１７１の周辺に位置するトナーが、掻出部１７６または搬送部１７４によりほぐされる。
（１−３）第２実施形態の作用効果
第２実施形態の現像カートリッジ１によれば、図７Ｃに示すように、カム接触部１７５が接触する異形カム１６０の漸増部分１６１の外周面の領域に応じて、搬送部材１７１が移動する。
【０１５６】
そのため、アジテータ３を回転することにより、搬送部材１７１を移動させてトナーをほぐすことができる。
（２）第３実施形態の現像カートリッジ
（２−１）第３実施形態の現像カートリッジの詳細
上記第１実施形態では、アジテータ３が回転を始めると、カム１３８の第１切欠面１４２がカム接触部１７５を持ち上げる。
【０１５７】
対して、第２実施形態では、第２カム１８０がカム接触部１７５を持ち上げる。
【０１５８】
詳しくは、図９Ａに示すように、軸本体１３６の左端部には、第１カム２４０と第２カム１８０との２つのカムが位置している。なお、第１カム２４０は、上記第１実施形態におけるカム１３８と同様の構成を有している。すなわち、第１カム２４０の円形部分２５０、凹部２５１、第１切欠面２５２、第２切欠面２５３、第３切欠面２５４は、カム１３８の円形部分１４０、凹部１４１、第１切欠面１４２、第２切欠面１４３、第３切欠面１４４に対応している。
【０１５９】
第１カム２４０は、軸本体１３６の左端部に位置している。第１カム２４０は、搬送部１７４と向かい合うように構成されている。第２カム１８０は、軸本体１３６の左端部であって、第１カム２４０の左方に位置している。第２カム１８０は、カム接触部１７５と向かい合うように構成されている。第２カム１８０は、軸本体１３６と一体となって回転する。第２カム１８０は、基端部１８１と、突出部１８２とを備えている。
【０１６０】
基端部１８１は、側面視略円形の板形状を有しており、軸本体１３６の左端部に取り付けられている。左右方向に投影したときに、基端部１８１の中心は、第１カム２４０の中心と略一致している。左右方向において、基端部１８１は、カム接触部１７５と同じ位置に位置している。
【０１６１】
突出部１８２は、基端部１８１の外周面から、基端部１８１の径方向外方に突出している。突出部１８２は、略扇状の板形状を有している。突出部１８２は、側面視において、基端部１８１の径方向外方に向かうにつれて拡がる形状を有している。突出部１８２は、左右方向に投影したときに、第１カム２４０の凹部２５１と重なっている。
（２−２）第３実施形態の現像カートリッジの動作
搬送部材１７１が開口部１００を閉鎖した状態から、アジテータ３が回転方向Ｒに沿って、右側面視反時計回りに回転すると、第２カム１８０の突出部１８２の先端部が、搬送部材１７１のカム接触部１７５の下面に対して下方から当接する。
【０１６２】
次いで、アジテータ３がさらに回転すると、図９Ｂに示すように、第２カム１８０の突出部１８２は、カム接触部１７５を上方に向かって押圧し、カム接触部１７５を持ち上げる。このとき、搬送部１７４の先端部は、第１カム２４０の凹部２５１の内方に入り込み、カム１３８とは接触しない。すなわち、第１カム２４０の凹部２５１は、搬送部１７４が回転する際に搬送部１７４が凹部２５１に接触しないように、搬送部１７４の通過用の空間を形成している。
【０１６３】
そして、アジテータ３がさらに回転すると、図９Ｃに示すように、第２カム１８０の突出部１８２がカム接触部１７５から離れる。また、搬送部１７４の左端部の先端部が、カム１３８の円形部分１４０の外周面であって、回転方向Ｒの下流側の外周面に当接する。
【０１６４】
次いで、アジテータ３がさらに回転すると、第１カム２４０の円形部分２５０の外周面であって、回転方向Ｒの下流側部分から上流側部分が、搬送部１７４の先端部に順次に摺接する。
【０１６５】
そして、アジテータ３がさらに回転すると、第２カム１８０の突出部１８２の先端部が、搬送部材１７１のカム接触部１７５の下面に当接する。
【０１６６】
その後は、搬送部１７４が第１カム２４０の凹部２５１の内方に入り込まずに、第２カム１８０によるカム接触部１７５の持ち上げ状態と、第１カム２４０の円形部分２５０と搬送部１７４との摺接状態とが繰り返される。
（２−３）第３実施形態の作用効果
第３実施形態の現像カートリッジ１によれば、図９Ｃに示すように、カム接触部１７５は、第２カム１８０により持ち上げられる。
【０１６７】
そのため、搬送部材１７１の移動を、第１カム２４０および第２カム１８０の動作によって行うことができる。
【０１６８】
その結果、撹拌羽根１３４をトナーの撹拌動作にのみ用いることができる。
（３）第４実施形態の現像カートリッジ
（３−１）第４実施形態の現像カートリッジの詳細
上記第１実施形態では、アジテータ３が回転を始めると、カム１３８がカム接触部１７５を持ち上げる。
【０１６９】
対して、第４実施形態では、中間部材２１０とカム接触部１７５との係合状態が解除されることで、カム接触部１７５が持ち上げられる。
【０１７０】
詳しくは、図１０Ａに示すように、アジテータ３の左端部には、カム１３８に替えて中間カム２００が位置している。また、中間カム２００と搬送部材１７１との間には、中間部材２１０が位置している。
【０１７１】
中間カム２００は、基端部２０１と、突出部２０２とを備えている。
【０１７２】
基端部２０１は、側面視略円形の板形状を有しており、軸本体１３６の左端部に取り付けられている。
【０１７３】
突出部２０２は、基端部１８１の外周面から、基端部１８１の径方向外方に突出している。突出部２０２は、側面視矩形の略角柱形状を有している。
【０１７４】
中間部材２１０は、上ガイド部２１２と、下ガイド部２１３と、側面視略Ｚ字状のスライド部材２１１とを備えている。
【０１７５】
上ガイド部２１２は、第１フレーム６１内において、アジテータ３の上方に位置している。上ガイド部２１２は、１対の上レール２２１を備えている。
【０１７６】
１対の上レール２２１は、上下方向に互いに間隔を隔てて位置している。１対の上レール２２１のそれぞれは、前後方向に延びている。
【０１７７】
下ガイド部２１３は、第１フレーム６１内において、アジテータ３の後方に位置している。下ガイド部２１３は、１対の下レール２２２を備えている。
【０１７８】
１対の下レール２２２は、上下方向に互いに間隔を隔てて位置している。１対の下レール２２２のそれぞれは、前後方向に延びている。
【０１７９】
スライド部材２１１は、アジテータ３の後上方に位置している。スライド部材２１１は、上スライド部２１５と、下スライド部２１８と、中央スライド部２１７と、係合部２１６とを備えている。
【０１８０】
上スライド部２１５は、側面視略矩形の略角柱形状であって、１対の上レール２２１の間において前後方向に延びている。上スライド部２１５は、１対の上レール２２１に対して前後方向にスライド移動可能である。
【０１８１】
下スライド部２１８は、側面視略矩形の略角柱形状であって、１対の下レール２２２の間において前後方向に延びている。下スライド部２１８は、１対の下レール２２２に対して前後方向にスライド移動可能である。
【０１８２】
中央スライド部２１７は、側面視略矩形の略角柱形状であって、上下方向に延びており、上スライド部２１５の後端と下スライド部２１８の前端とに連続している。
【０１８３】
係合部２１６は、上スライド部２１５の前端から下方に向かって突出している。
【０１８４】
これにより、上スライド部２１５と、下スライド部２１８と、中央スライド部２１７と、係合部２１６とは、一体的に前後方向にスライド移動可能である。
【０１８５】
なお、搬送部材１７１には、上記第１実施形態において説明した図示しないばねの付勢力は付与されておらず、対して、搬送部材１７１のカム接触部１７５の先端部と第２縦壁８１Ｂの下端部にばね２３０が取り付けられている。これにより、搬送部材１７１には、常には右側面視時計回りの付勢力が付与されている。
（３−２）第４実施形態の現像カートリッジの動作
アジテータ３が回転を開始する前は、開口部１００は、搬送部材１７１により閉鎖されている。また、突出部２０２は、基端部２０１から上方に向かって延びている。スライド部材２１１は、後方側に位置している。スライド部材２１１の係合部２１６は、突出部２０２の上端に対して前方に位置している。スライド部材２１１の下スライド部２１８の下端は、カム接触部１７５の上端と接触している。これにより、ばね２３０の付勢力に抗して、搬送部材１７１は、開口部１００を閉鎖した状態に位置決めされている。
【０１８６】
そして、アジテータ３が回転方向Ｒに沿って、右側面視反時計回りに回転すると、突出部２０２の上端が係合部２１６の後面に係合する。
【０１８７】
次いで、アジテータ３がさらに回転すると、図１０Ｂに示すように、突出部２０２が、右側面視反時計周りに回転して係合部２１６を前方に向かって押圧する。
【０１８８】
すると、スライド部材２１１が前方に移動し、下スライド部２１８とカム接触部１７５との係合状態が解除される。これにより、搬送部材１７１がばね２３０の付勢力によって右側面視時計回りに回転し、開口部１００が開放される。
【０１８９】
次いで、アジテータ３がさらに回転すると、図１０Ｃに示すように、突出部２０２がスライド部材２１１の係合部２１６から離れる。その後は、スライド部材２１１が前方に移動した状態が維持される。
（３−３）第４実施形態の作用効果
第４実施形態の現像カートリッジ１によれば、図１０Ｂに示すように、搬送部材１７１は、常には右側面視時計回りに付勢されている。そして、アジテータ３の回転に伴ってスライド部材２１１が前方に移動すると、下スライド部２１８とカム接触部１７５との係合状態が解除されて、搬送部材１７１が右側面視時計回りに回転する。
【０１９０】
そのため、アジテータ３の回転動作の開始に伴って、搬送部材１７１を右側面視時計回りに回転させて開口部１００を開放することができる。
８．その他の変形例
上記実施形態では、アジテータ３が撹拌部材の一例として記載したが、撹拌部材としては、アジテータ３に代えて、例えば、オーガスクリューやパドルなどを適用することもできる。
【０１９１】
また、上記実施形態では、現像ローラ５がローラ部材の一例として記載したが、ローラ部材としては、現像ローラ５に代えて、例えば、現像スリーブ、ブラシ状のローラなどを適用することもできる。
【０１９２】
また、上記実施形態では、カム１３８、異形カム１６０および第２カム１８０が駆動伝達部材の一例として記載したが、アジテータ３と搬送部材１７１との間に別途回転カムを設け、回転カムを駆動伝達部材の一例として適用することもできる。
【符号の説明】
【０１９３】
１      現像カートリッジ
２      筐体
３      アジテータ
５      現像ローラ
３０    開口部
９０    現像室
９１    トナー収容室
１３４  撹拌羽根
１３８  カム
１４０  円形部分
１４１  凹部
１６０  異形カム
１７１  搬送部材
１７２  フィルム部材
１７３  揺動軸
１７５  カム接触部
１７６  掻出部
【図１】
2015087669.tif 000003
【図２】
2015087669.tif 000004
【図３】
2015087669.tif 000005
【図４】
2015087669.tif 000006
【図５】
2015087669.tif 000007
【図６】
2015087669.tif 000008
【図７】
2015087669.tif 000009
【図８】
2015087669.tif 000010
【図９】
2015087669.tif 000011
【図１０】
2015087669.tif 000012